(57)【要約】  本発明は、排ガス再循環システム用水処理フィルターシステムに関する。このために、本発明は、レシービングタンクユニットから洗浄汚染水を供給されるバッファータンクユニットと、前記バッファータンクユニットから排出された洗浄汚染水にスラッジリダクションユニットから排出された再生フィルター部材が混合された混合汚染水を供給される水処理ユニットと、前記水処理ユニットから廃フィルター部材の混合されたスラッジが排出され、排出されたスラッジから廃フィルター部材を分離して再生フィルター部材に貯留し、貯留された再生フィルター部材が前記バッファータンクユニットから排出された洗浄汚染水に混合されるように配備されたスラッジリダクションユニットと、を備えることを特徴とする。【選択図】  図４
2019520210.tif 000002
【特許請求の範囲】
【請求項１】
レシービングタンクユニットから洗浄汚染水を供給されるバッファータンクユニットと、
前記バッファータンクユニットから排出された洗浄汚染水にスラッジリダクションユニットから排出された再生フィルター部材が混合された混合汚染水を供給される水処理ユニットと、
前記水処理ユニットから廃フィルター部材の混合されたスラッジが排出され、排出されたスラッジから廃フィルター部材を分離して再生フィルター部材に貯留し、貯留された再生フィルター部材が前記バッファータンクユニットから排出された洗浄汚染水に混合されるように配備されたスラッジリダクションユニットと、
を備え、
前記水処理ユニットは、一つ以上の水処理フィルター部と、新フィルター部材が第２のポンプによって水処理フィルター部に供給されるプレコーティングタンクと、を備え、
前記水処理フィルター部は、ハウジング胴体と、前記ハウジング胴体の上部に配備されたフィルター固定片と、前記フィルター固定片によってハウジング胴体の内部に嵌入した単位フィルターユニットと、前記フィルター固定片の上部に載置されてボルトで結合されたハウジングキャップと、を備え、
前記ハウジング胴体の下部に流入口が形成され、前記ハウジングキャップに排出口が形成されて前記流入口を介して清水と新フィルター部材とが混合された混合物が流入した後、混合物が単位フィルターユニットとフィルター固定片を経由し、排出口に排出される手順で流入した混合物の新フィルター部材が前記単位フィルターユニットの表面に吸着されてフィルター層が形成されることを特徴とする排ガス再循環システム用水処理フィルターシステム。
【請求項２】
前記バッファータンクユニットは、洗浄汚染水がバッファータンクに流入し、流入した洗浄汚染水が第１のポンプによって水処理ユニットに供給される中で、前記第１のポンプの吸入側にスラッジリダクションユニットから排出された再生フィルター部材が混合されるように配備され、前記バッファータンクに水処理ユニットから排出された清水の一部が供給され且つ排出されることを特徴とする請求項１に記載の排ガス再循環システム用水処理フィルターシステム。
【請求項３】
前記ハウジング胴体は、円筒状の下部にフランジを有する流入口が形成され、上部にフランジを有する結合口が形成され、前記ハウジング胴体の下部の外側が固定フレームによって支持されることを特徴とする請求項１に記載の排ガス再循環システム用水処理フィルターシステム。
【請求項４】
前記フィルター固定片は、
円板状を有する固定片胴体に周りに沿って形成された貫通孔と、
前記固定片胴体の内部に形成された段差状の雌ねじ孔と、
前記固定片胴体の外周縁部から内部及び下部を向くように形成されたエア流入孔と、
を備えることを特徴とする請求項１に記載の排ガス再循環システム用水処理フィルターシステム。
【請求項５】
前記単位フィルターユニットは、
上端部及び下端部にそれぞれアッパー雄ねじ部とロワー雄ねじ部が形成された支持バーと、
前記支持バーに嵌入したコイル部材と、
前記コイル部材の下部に結合されたロワーエンドキャップと、
前記ロワーエンドキャップを貫通して下部に露出されたロワー雄ねじ部に螺合されたロ
ックナットと、
前記コイル部材の上部に結合されたアッパーエンドキャップと、
前記アッパーエンドキャップを貫通して上部に露出されたアッパー雄ねじ部に螺合されたロックナットと、
を備えることを特徴とする請求項１に記載の排ガス再循環システム用水処理フィルターシステム。
【請求項６】
前記コイル部材は、四角い形状の断面を有する鋼線が螺旋状に巻き付けられるように形成され、螺旋状に巻き付けられた一方の側と他方の側とのギャップが２０〜５８μｍであることを特徴とする請求項５に記載の排ガス再循環システム用水処理フィルターシステム。
【請求項７】
前記ロワーエンドキャップは、上部のみが開放された円筒状を有するロワーエンドキャップ胴体の底面の中央に上部に向かって突出するロワー貫通孔を有するガイド突部が形成されることを特徴とする請求項５に記載の排ガス再循環システム用水処理フィルターシステム。
【請求項８】
前記アッパーエンドキャップは、
多角形状を有するアッパーエンドキャップ胴体と、
前記アッパーエンドキャップ胴体の下部に段差状に突出した雄ねじ部材と、
前記雄ねじ部材の下部からアッパーエンドキャップ胴体の上部の内側に向かって段差状を有するように形成されたガイド凹部と、
前記ガイド凹部の天井側に形成されたアッパー貫通孔と、
前記アッパー貫通孔の周りに形成された排出流路孔と、
を備えることを特徴とする請求項５に記載の排ガス再循環システム用水処理フィルターシステム。
【請求項９】
前記排出流路孔は、セクター状を有するように形成されることを特徴とする請求項８に記載の排ガス再循環システム用水処理フィルターシステム。
【請求項１０】
前記スラッジリダクションユニットは、
水処理ユニットから排出された、廃フィルター部材の混合されたスラッジが集まるスラッジトレイと、
前記スラッジトレイから第３のポンプを介して廃フィルター部材の混合されたスラッジが供給されるハイドロサイクロンと、
前記ハイドロサイクロンから分離された再生フィルター部材が集まるボディフィードタンクと、
前記ハイドロサイクロンから分離されたスラッジが集まるスラッジタンクと、
前記ボディフィードタンクから第４のポンプを介して再生フィルター部材が第１のポンプの吸入側に供給されることを特徴とする請求項１に記載の排ガス再循環システム用水処理フィルターシステム。
【発明の詳細な説明】
【技術分野】
【０００１】
本発明は、排ガス再循環システム用水処理フィルターシステムに関し、特に、ハウジング胴体の内部に清水と新フィルター部材とが混合された混合物が流入した後、単位フィルターユニットに清水が抜け出る手順で新フィルター部材が単位フィルターユニットの表面に吸着されてフィルター層が形成されるようにし、次いで、硫黄酸化物と粒子状の物質の異物が含まれている洗浄汚染水が再生フィルター部材と混合された状態でハウジング胴体に供給された後、フィルター層を経由して異物の取り除かれた清水のみが排出されるようにする中で、再生フィルター部材によってフィルターの閉塞現象が防止できるようにし、併せて、フィルター部材が再使用できるようにしたものである。
【背景技術】
【０００２】
一般に、ガソリンエンジンに比べてディーゼルエンジンは、希薄燃焼の特性に起因して窒素酸化物（ＮＯｘ）と粒子状の物質の排出量が多いため、大気汚染の主犯として指摘される。
【０００３】
窒素酸化物は、太陽光線によって光化学反応を引き起こしてオゾンの発生を誘起して呼吸器疾患などを誘発し、微細塵埃は粒子径が１０μｍ以下の小さな塵埃であって、呼吸器に容易に浸透して肺に吸着されることにより、気管支に影響を及ぼし、且つ、肺がんを誘発する。
【０００４】
このような問題を解消するための方案の工夫を実施して、燃焼後に発生する排ガスの一部を燃焼室に再供給して、燃焼に当たって温度を降温させ、且つ、酸素の濃度を感知して窒素酸化物（ＮＯｘ）の生成を抑えている。
【０００５】
しかしながら、窒素酸化物の抑制方法は、排ガスを再循環させて使用するに当たって、排ガスに含まれている強酸性の硫黄酸化物（ＳＯｘ）及び粒子物質（燃焼の際に発生する微細物質）がそのままエンジンシリンダーに流入してしまう結果、エンジンの燃焼効率が格段に低下するという問題があるため、これを払拭するための払拭装置が必要である。
【０００６】
このような払拭装置は、排気ダクト中にフィルターを設ける方法を採用しているが、フィルターの閉塞が生じ易く、圧力の損失が大きいなどの問題があり、電気集塵機は、閉塞が発生せず、圧力の損失が小さいことから、排気ダクトに設置し易い。
【０００７】
電気集塵機は、排ガス中のＳＯｘなどのガス成分を処理し難いため、エンジンから排出される排ガスを洗浄してＳＯｘ及び粒子状の物質（Ｐａｒｔｉｃｕｌａｔｅ  Ｍａｔｔｅｒ）を取り除く方式を応用したものがある。
【０００８】
電気集塵方式に加えて、ディーゼルエンジンから排出される燃焼に伴う排ガスを洗浄してＳＯｘ及び粒子状の物質を低減させる装置として、ガス洗浄用のスクラバー（ｓｃｒｕｂｂｅｒ）を配置して、スクラバーにおいて行われる洗浄に供した海水を遠心分離部に供給して煤塵（ｓｏｏｔ  ｄｕｓｔ）を取り除き、煤塵の分離された海水をオイル除去部に供給して油分をフィルターで取り除き、油分を取り除いた海水を中和部に供給して中和させた後、中和処理の施された海水を再びガス洗浄用スクラバーに供給して排ガスの洗浄に供するようにした排水処理装置が提案されている。
【０００９】
しかしながら、同装置は、電気集塵方式に代えて、ディーゼルエンジンから排出される排ガスをガス洗浄用スクラバーに供給して排ガスを海水で洗浄することにより、煤塵及び
ＳＯｘを取り除くようにしているが、多量の海水を使用するが故に、煤塵を含む排水を処理する大規模の水処理装置が望まれるという問題があった。
【００１０】
また、水処理に用いられるフィルターの構造が複雑であるが故に、フィルターの製造及び取り扱いに伴う追加コストが高くつくという問題があった。
【先行技術文献】
【特許文献】
【００１１】
【特許文献１】大韓民国公開特許公報第１０−２０１５−９２３１５号（２０１５年８月１２日）
【発明の概要】
【発明が解決しようとする課題】
【００１２】
本発明は、水処理フィルターシステムにおけるフィルターリング効率を高める中で、フィルター部材が再使用できるようにしてフィルターの製造及び取り扱いに伴うコストを削減できるようにしたものである。
【課題を解決するための手段】
【００１３】
また、前記バッファータンクユニットは、洗浄汚染水がバッファータンクに流入し、流入した洗浄汚染水が第１のポンプによって水処理ユニットに供給される中で、前記第１のポンプの吸入側にスラッジリダクションユニットから排出された再生フィルター部材が混合されるように配備され、前記バッファータンクに水処理ユニットから排出された清水の一部が供給され且つ排出されることを特徴とする。
【００１４】
さらに、前記ハウジング胴体は、円筒状の下部にフランジを有する流入口が形成され、上部にフランジを有する結合口が形成され、前記ハウジング胴体の下部の外側が固定フレームによって支持されることを特徴とする。
【００１５】
さらにまた、前記フィルター固定片は、円板状を有する固定片胴体に周りに沿って形成された貫通孔と、前記固定片胴体の内部に形成された段差状の雌ねじ孔と、前記固定片胴体の外周縁部から内部及び下部を向くように形成されたエア流入孔と、を備えることを特徴とする。
【００１６】
さらにまた、前記単位フィルターユニットは、上端部及び下端部にそれぞれアッパー雄ねじ部とロワー雄ねじ部が形成された支持バーと、前記支持バーに嵌入したコイル部材と、前記コイル部材の下部に結合されたロワーエンドキャップと、前記ロワーエンドキャップを貫通して下部に露出されたロワー雄ねじ部に螺合されたロックナットと、前記コイル部材の上部に結合されたアッパーエンドキャップと、前記アッパーエンドキャップを貫通して上部に露出されたアッパー雄ねじ部に螺合されたロックナットと、を備えることを特徴とする。
【００１７】
さらにまた、前記コイル部材は、四角い形状の断面を有する鋼材が螺旋状に巻き付けられるように形成され、螺旋状に巻き付けられた一方の側と他方の側とのギャップが２０〜５８μｍであることを特徴とする。
【００１８】
さらにまた、前記ロワーエンドキャップは、上部のみが開放された円筒状を有するロワーエンドキャップ胴体の底面の中央に上部に向かって突出するロワー貫通孔を有するガイド突部が形成されることを特徴とする。
【００１９】
さらにまた、前記アッパーエンドキャップは、多角形状を有するアッパーエンドキャッ
プ胴体と、前記アッパーエンドキャップ胴体の下部に段差状に突出した雄ねじ部材と、前記雄ねじ部材の下部からアッパーエンドキャップ胴体の上部の内側に向かって段差状を有するように形成されたガイド凹部と、前記ガイド凹部の天井側に形成されたアッパー貫通孔と、前記アッパー貫通孔の周りに形成された排出流路孔と、を備えることを特徴とする。
【００２０】
さらにまた、前記排出流路孔は、セクター状を有するように形成されることを特徴とする。
【００２１】
そして、前記スラッジリダクションユニットは、水処理ユニットから排出された、廃フィルター部材の混合されたスラッジが集まるスラッジトレイと、前記スラッジトレイから第３のポンプを介して廃フィルター部材の混合されたスラッジが供給されるハイドロサイクロンと、前記ハイドロサイクロンから分離された再生フィルター部材が集まるボディフィードタンクと、前記ハイドロサイクロンから分離されたスラッジが集まるスラッジタンクと、前記ボディフィードタンクから第４のポンプを介して再生フィルター部材が第１のポンプの吸入側に供給されることを特徴とする。
【発明の効果】
【００２２】
本発明は、ハウジング胴体の内部に清水と新フィルター部材とが混合された混合物が流入した後、単位フィルターユニットに清水が抜け出る手順で新フィルター部材が単位フィルターユニットの表面に吸着されてフィルター層が形成されるようにし、次いで、硫黄酸化物と粒子状の物質の異物が含まれている洗浄汚染水が再生フィルター部材と混合された状態でハウジング胴体に供給された後、フィルター層を経由して異物の取り除かれた清水のみが排出されるようにするという効果が得られる。
【００２３】
また、これを通じて、フィルター層の表面に再生フィルター部材が所定の深さだけ食い込むことにより、フィルター層の閉塞現象を防ぐことができるという効果が得られる。
【００２４】
さらに、これを通じて、単位フィルターユニットに吸着されたフィルター層の効率が低くなる場合、外部からエアを供給してフィルター層が分離されて除去されるようにした後、新フィルター部材によって新たなフィルター層が配備される手順の繰り返しを通じて用いられるようにすることで、水処理の実施にかかる実施コストを節減することができるという効果が得られる。
【００２５】
さらにまた、ハウジング胴体の外部に排出された、廃フィルター部材の混合されたスラッジから廃フィルター部材とスラッジを分離し、スラッジと分離された再生フィルター部材がハウジング胴体に再び供給できるようにすることで、実施コストをさらに節減することができるという効果が得られる。
【００２６】
さらにまた、単位フィルターユニットのコイル部材が四角い形状の断面を有するようにすることで、コイル部材がコイリングされる手順でコイル部材の間に間隔維持突起が正確に位置するようにするという効果を奏するとともに、アッパーエンドキャップとロワーエンドキャップによって付勢される手順でねじれることを防ぐことができるという効果が得られる。
【００２７】
そして、間隔維持突起によってコイル部材の間に形成されるギャップが一定の間隔を維持するようにすることで、均一な間隔を有するフィルター層が得られる。
【図面の簡単な説明】
【００２８】
【図１】本発明に係る排ガス再循環システム用水処理フィルターシステムにおける水処理フィルター部を示す斜視図
【図２】本発明に係る排ガス再循環システム用水処理フィルターシステムにおける水処理フィルター部を示す分解斜視図
【図３】本発明に係る排ガス再循環システム用水処理フィルターシステムにおける水処理フィルター部を示す縦断面図
【図４】本発明に係る排ガス再循環システム用水処理フィルターシステムを示すブロック図
【発明を実施するための形態】
【００２９】
以下、添付図面に基づき、本発明の実施形態を説明する。
【００３０】
図１は、本発明に係る排ガス再循環システム用水処理フィルターシステムにおける水処理フィルター部を示す斜視図であり、図２は、本発明に係る排ガス再循環システム用水処理フィルターシステムにおける水処理フィルター部を示す分解斜視図であり、図３は、本発明に係る排ガス再循環システム用水処理フィルターシステムにおける水処理フィルター部を示す縦断面図であり、そして、図４は、本発明に係る排ガス再循環システム用水処理フィルターシステムを示すブロック図である。
【００３１】
本発明に係る排ガス再循環システム用水処理フィルターシステムは、図４に示すように、バッファータンクユニットＢＴＵと、水処理ユニットＷＴＵ及びスラッジリダクションユニットＳＲＵを備えるものであり、前記バッファータンクユニットＢＴＵは、レシービングタンクユニットＲＴＵから洗浄汚染水ＰＷを供給されるように配備されており、前記水処理ユニットＷＴＵは、バッファータンクユニットＢＴＵから排出された洗浄汚染水ＰＷにスラッジリダクションユニットＳＲＵから排出された再生フィルター部材ＲＰが混合された混合汚染水が供給されるように配備されている。
【００３２】
前記バッファータンクユニットＢＴＵは、洗浄汚染水ＰＷがバッファータンクＢＴに流入し、流入した洗浄汚染水ＰＷが第１のポンプＰ１によって水処理ユニットＷＴＵに供給される中で、第１のポンプＰ１の吸入側にスラッジリダクションユニットＳＲＵから排出された再生フィルター部材ＲＰが混合されるように配備されている。このとき、前記バッファータンクＢＴは、水処理ユニットＷＴＵから排出された清水ＦＷの一部が供給され且つ排出されるように配備されている。
【００３３】
前記水処理ユニットＷＴＵは、一つ以上の水処理フィルター部Ａを備えており、前記水処理フィルター部Ａに新フィルター部材ＮＰが第２のポンプＰ２によって供給されるプレコーティングタンクＰＣＴによって構成されている。
【００３４】
ここで、前記水処理フィルター部Ａは、図１〜３に示すように、ハウジング胴体１００と、前記ハウジング胴体１００の上部に配備されたフィルター固定片２００と、前記フィルター固定片２００によってハウジング胴体１００の内部に嵌入した単位フィルターユニット３００及びハウジングキャップ４００を備えている。
【００３５】
前記ハウジング胴体１００は、円筒状を有する下部にフランジＦを有する流入口１１０が形成されてバッファータンクユニットＢＴＵに第１のポンプＰ１が配備されたパイプラインに連結されており、前記ハウジング胴体１００の上部にフランジＦを有する結合口１２０が形成されて、バッファータンクユニットＢＴＵ及びプレコーティングタンクＰＣＴに清水ＦＷが供給できるようにパイプラインに連結されている。
【００３６】
前記プレコーティングタンクＰＣＴは、ハウジング胴体１００の内部に洗浄汚染水ＰＷを供給する前に、第２のポンプＰ２を介して清水の混合された新フィルター部材ＮＰが供
給されるようにして、単位フィルターユニット３００のコイル部材３２０の表面に所定の厚さを有するように吸着されることで、フィルター層ＦＬが形成可能になる。前記新フィルター部材ＮＰは、多孔性材質からなるものであり、多孔性材質として珪藻土が用いられることが好ましく、このような珪藻土に加えて、炭やその他の多孔性材質が使用可能である。
【００３７】
前記ハウジング胴体１００は、両側にはそれぞれ内部が覗けるサイトガラスＳＧが配備されており、前記流入口１１０の形成された下端の外側にスラッジと廃フィルター部材ＤＰを排出する異物排出口１３０が配備されている。
【００３８】
前記フィルター固定片２００は、単位フィルターユニット３００が安定的に固定されるようにする中で、ハウジング胴体１００の内部空間とハウジングキャップ４００の内部空間とが仕切られるようにし、併せて、コイル部材３２０の表面に形成されたフィルター層ＦＬを解体して異物排出口１３０に排出する機能が提供されるように配備されている。
【００３９】
前記フィルター固定片２００は、円板状を有する固定片胴体２１０の周りに沿って貫通孔２１１が形成されて、ボルトＢでハウジング胴体１００とハウジングキャップ４００との間に安定的に結合可能なように配備されており、前記固定片胴体２１０の内部には少なくとも一つ以上の段差状の雌ねじ孔２１２が形成されて、単位フィルターユニット３００が安定的に結合できるように配備されている。
【００４０】
前記固定片胴体２１０の外周縁部には、表面から固定片胴体２１０の内部及び下部を向くようにエア流入孔２１３が形成されて、図示しないエア供給口にパイプラインが結合されてハウジング胴体１００の内部に高圧のエアが供給または噴射されるようにする場合、内部を洗浄して廃フィルター部材ＤＰとスラッジなどが取り除かれるように配備されている。
【００４１】
前記フィルター固定片２００は、上部と下部にそれぞれシールリングＳを突き合わせた状態でハウジング胴体１００とハウジングキャップ４００との間に配備されて水密が維持可能になる。
【００４２】
前記単位フィルターユニット３００は、支持バー３１０と、コイル部材３２０と、ロワーエンドキャップ３３０と、ロックナットＬＮ及びアッパーエンドキャップ３４０を備えるものであり、前記支持バー３１０は、上端部及び下端部にそれぞれアッパー雄ねじ部３１１とロワー雄ねじ部３１２が形成されてコイル部材３２０が貫通した形状を有するように嵌入している。
【００４３】
前記コイル部材３２０の下部を貫通して露出された支持バー３１０にはロワーエンドキャップ３３０が嵌合し、前記ロワーエンドキャップ３３０を貫通して露出されたロワー雄ねじ部３１２にロックナットＬＮが結合されて緩み現象が防止できるように配備されている。
【００４４】
前記コイル部材３２０の上部にはアッパーエンドキャップ３４０が結合され、前記アッパーエンドキャップ３４０を貫通して上部に露出されたアッパー雄ねじ部３１１にロックナットＬＮが螺合されて緩み現象が防止できるように配備されている。
【００４５】
前記コイル部材３２０は、四角い形状の断面を有する鋼線ＳＷが螺旋状に巻き付けられるように形成されたものであり、螺旋状に巻き付けられた一方の側と他方の側とのギャップＣを介して洗浄汚染水ＰＷ中に含まれている異物が取り除かれた後、清水のみが通過できるように配備されている。
【００４６】
このようなギャップＣは、２０〜５８μｍを有することが好ましく、このときに用いられる新フィルター部材ＮＰの材質としては、４０〜６０μｍの直径を有する珪藻土を用いることが好ましい。このとき、前記新フィルター部材ＮＰは、ギャップＣを介して抜け出ることを防ぐことが可能になる。本発明においては、ギャップＣが２０〜５８μｍを有するようにしているが、粒子の大きな異物を含む場合、１２０μｍ以上の間隔を有するようにしてもよい。
【００４７】
一方、前記コイル部材３２０が四角い形状の断面を有することにより、図２の左下部に示すように、コイリングされる前の鋼線ＳＷの上面に一定の間隔を有する間隔維持突起ＳＰが長手方向に繰り返されるように形成された直線状であり、四角い形状の断面を有する鋼線ＳＷを用いてコイリングする場合、ねじれることを防いで、間隔維持突起ＳＰが一方の側と他方の側、または上部と下部との間の正確な位置に配備されることが可能になる。すなわち、鋼線ＳＷに間隔維持突起ＳＰが形成された面以外の面を固定してコイリング工程を行う場合、鋼線ＳＷのねじれを防ぐことができ、これを通じて、コイル部材３２０の一方の側と他方の側との間に間隔維持突起ＳＰが位置することが可能になる。
【００４８】
前記ロワーエンドキャップ３００は、上部のみが開放された円筒状を有するものであり、ロワーエンドキャップ胴体３３１の底面の中央に上部に向かって突出するロワー貫通孔３３２を有するガイド突部３３３が形成されて、支持バー３１０が貫通するように嵌め込まれた状態で軸に対する直角方向に遊動が生じることを防止できるように配備されている。
【００４９】
前記ロワーエンドキャップ３００は、コイル部材３２０の下端が所定の深さで嵌め込まれた状態で維持されることにより、全体的にコイル部材３２０に一定の圧力が加えられることにより、前記コイル部材３２０は、間隔維持突起ＳＰによって全体の長さにわたって均一な間隔を有するギャップＣが維持可能になる。
【００５０】
前記アッパーエンドキャップ３４０は、単位フィルターユニット３００の上部がフィルター固定片２００に安定的に固定されるようにする中で、フィルター層ＦＬによって異物が取り除かれた純粋な水のみがハウジングキャップ４００の内部空間に供給または排出されるようにするものであり、アッパーエンドキャップ胴体３４１と、雄ねじ部材３４２と、ガイド凹部３４３と、アッパー貫通孔３４４及び排出流路孔３４５が一体に配備されている。
【００５１】
ここで、前記アッパーエンドキャップ胴体３４１は、組立及び分解を行い易くするために工夫された方案であって、外部、すなわち、外周縁部が多角形状を有するように形成されており、前記雄ねじ部材３４２は、アッパーエンドキャップ胴体３４１の下部に段差状に突出するように形成されて雌ねじ孔２１２に螺合できるように配備されている。
【００５２】
前記ガイド凹部３４３は、前記雄ねじ部材３４２の下部からアッパーエンドキャップ胴体３４１の上部の内側に向かって段差状を有するように形成されて、単位フィルターユニット３００のコイル部材３２０の上端が所定の深さで嵌入した状態が維持されてコイル部材３２０の上端部分がねじれることを防止できるように配備されている。
【００５３】
前記アッパー貫通孔３４４は、ガイド凹部３４３の天井側に形成されて、コイル部材３２０の内部を介して上部に移動した異物の取り除かれた水が円滑に流入するようにする中で、前記アッパー貫通孔３４４の周りに形成された排出流路孔３４５を介してハウジングキャップ４００の内部に排出できるように配備されている。
【００５４】
このような前記排出流路孔３４５は、支持バー３１０の上端部に形成されたアッパー雄ねじ部３１１が貫通してロックナットＬＮに安定的に固定されるようにする中で、異物の排出された水を排出し易くするために工夫された方案であって、セクター状を有するようにすることが好ましい。
【００５５】
このような前記ハウジング胴体１００の下部には流入口１１０が形成され、前記ハウジングキャップ４００に排出口４１０が形成されることにより、前記流入口１１０を介して水と珪藻土とが混合された混合物が流入した後、混合物が単位フィルターユニット３００とフィルター固定片２００を経由し、排出口４１０に排出される手順で流入した混合物の珪藻土が単位フィルターユニット３００の表面に吸着されてフィルター層ＦＬが形成可能になる。
【００５６】
前記スラッジリダクションユニットＳＲＵは、水処理ユニットＷＴＵから廃フィルター部材ＤＰの混合されたスラッジが排出され、排出されたスラッジから廃フィルター部材ＤＰを分離して再生フィルター部材ＲＰに貯留し、貯留された再生フィルター部材ＲＰが前記バッファータンクユニットＢＴＵから排出された洗浄汚染水ＰＷに混合されるように配備されている。
【００５７】
このような排ガス再循環システム用水処理フィルターシステムは、まず、水処理が行われる前に、プレコーティングタンクＰＣＴから清水の混合された新フィルター部材ＮＰが第２のポンプＰ２によって水処理フィルター部Ａの流入口１１０を介してハウジング胴体１００の内部に流入するようにし、ハウジング胴体１００の内部に流入した清水の混合された新フィルター部材ＮＰは、単位フィルターユニット３００のコイル部材３２０に形成されたギャップＣを経由した後、フィルター固定片２００に結合されたアッパーエンドキャップ３４０のアッパー貫通孔３４４と排出流路孔３４５を介して排出される手順で清水のみがギャップＣを介して抜け出、新フィルター部材ＮＰがギャップＣに引っ掛かる現象の繰り返しを通じて、コイル部材３２０の表面に所定の厚さを有するフィルター層ＦＬが形成される。
【００５８】
次いで、洗浄汚染水ＰＷがバッファータンクユニットＢＴＵのバッファータンクＢＴに供給され、バッファータンクＢＴに供給された洗浄汚染水ＰＷは、第１のポンプＰ１によってハウジング胴体１００に供給される手順でスラッジリダクションユニットＳＲＵの第４のポンプＰ４によって再生フィルター部材ＲＰが供給されて混合された状態で供給されることにより、フィルター層ＦＬに再生フィルター部材ＲＰが所定の深さだけ食い込んだ状態が繰り返されることにより、閉塞現象を防いでフィルターリング率が低くなることを防ぐことが可能になる。
【００５９】
次いで、単位フィルターユニット３００の上部に配備されたアッパーエンドキャップ３４０の排出流路孔３４５及びハウジングキャップ４００を介して排出される手順でコイル部材３２０の外部に配備されたフィルター層ＦＬによって洗浄汚染水ＰＷに含まれている油と粒子状の物質が取り除かれることにより、清水のみが排出可能になる。
【００６０】
次いで、フィルター層ＦＬによってフィルターリングされた後に清水のみが排出される手順で、スラッジと廃フィルター部材ＤＰはスラッジリダクションユニットＳＲＵのスラッジトレイＳＴＹに集まった後、第３のポンプＰ３によって廃フィルター部材ＤＰの混合されたスラッジがハイドロサイクロンＨＳに供給されるとともに、遠心力によって廃フィルター部材ＤＰとスラッジが分離される。
【００６１】
次いで、スラッジと分離された廃フィルター部材ＤＰは、再生フィルター部材ＲＰによって再生されてボディフィードタンクＢＦＴに貯留された後、貯留された再生フィルター
部材ＲＰは第４のポンプＰ４によって洗浄汚染水ＰＷに含まれてハウジング胴体１００の内部に流入するようにすることで、使用し続けることが可能になる。このとき、廃フィルター部材ＤＰと分離されたスラッジは、スラッジタンクＳＴＫに集まるようにして処理すればよい。
【符号の説明】
【００６２】
ＢＴＵ  バッファータンクユニット
ＤＰ  廃フィルター部材
ＲＰ  再生フィルター部材
ＲＴＵ  レシービングタンクユニット
ＳＲＵ  スラッジリダクションユニット
ＷＴＵ  水処理ユニット
１００  ハウジング胴体
１１０  流入口
１２０  結合口
２００  フィルター固定片
２１０  固定片胴体
２１１  貫通孔
２１２  雌ねじ孔
２１３  流入孔
３００  単位フィルターユニット
３１０  支持バー
３１１  アッパー雄ねじ部
３１２  ロワー雄ねじ部
３２０  コイル部材
３３０  ロワーエンドキャップ
３４０  アッパーエンドキャップ
４００  ハウジングキャップ
４１０  排出口
【図１】
2019520210.tif 000003
【図２】
2019520210.tif 000004
【図３】
2019520210.tif 000005
【図４】
2019520210.tif 000006
【国際調査報告】
2019520210.tif 000007
2019520210.tif 000008
2019520210.tif 000009
2019520210.tif 000010